(57)【要約】【課題】電源としての乾電池は必須であることから、当該乾電池の重さを、逆手にとって、女性の肩等のツボを乾電池の重さで押圧することで、懲りを解消しつつ保温し得るようにしたシート型ヒータ内蔵凝り治療器を提供する。【解決手段】ヒータ内蔵凝り治療器Ｓにおいて、背中当て層１０ａが、その裏側背中当て部から女性Ｆの背中の上部に当たるようにして、左右両側肩胸当て層１０ｂ、１０ｃにて、女性Ｆの左右両肩から左右両胸に当てられている。ここで、両ツボ刺激素子３０、４０が、それぞれ、女性Ｆの身体の左右両側肩井穴Ｆ１、Ｆ２に当たるとともに、両ツボ刺激素子５０、６０が、それぞれ、女性Ｆの身体の左右両側膏肓穴Ｆ３、Ｆ４に当たっている。左右両側単三乾電池７０、８０は、ヒータ内蔵凝り治療器Ｓの左右両側電池収納部１０ｄ、１０ｅ内に収納されている。また、各ツボ刺激素子３０〜６０は、共に、黒檀で形成されている。【選択図】図１
2011045397.tif 000002
【特許請求の範囲】
【請求項１】
背中当て層と、この背中当て層の上部左右両側部位から延出する左右両側肩胸当て層とを有するように、電気絶縁材料でもって袋状に形成してなるシート状被覆体と、
前記背中当て層及び前記左右両側肩胸当て層にわたり内包される面状ヒータと、
前記背中当て層及び前記左右両側肩胸当て層の双方の各一側外面のうち人間の身体の少なくとも１つ以上のツボに対する対応部位に装着されて黒檀からなる少なくとも１つ以上のツボ刺激素子と、
前記背中当て層の他側外面の左右両側下部に設けられて左右両側乾電池を収納する左右両側電池収納部とを備えて、
前記左右両側乾電池は、前記左右両側電池収納部を介し互いに直列接続されるようになっており、
前記面状ヒータの両接続端子の一方は、前記直列接続される前記左右両側乾電池を介し前記面状ヒータの両接続端子の他方に電気的に接続されるようになっているシート型ヒータ内蔵凝り治療器。
【請求項２】
前記少なくとも１つ以上のツボは、左右両側肩井穴及び左右両側膏肓穴であり、
前記少なくとも１つ以上のツボ刺激素子は、前記背中当て層及び前記左右両側肩胸当て層の双方の前記一側外面のうち前記左右両側肩井穴及び前記左右両側膏肓穴の各々に対する各対応部位に装着される４つのツボ刺激素子であることを特徴とする請求項１に記載のシート型ヒータ内蔵凝り治療器。
【請求項３】
前記面状ヒータは、ニクロム線を格子状に配線した直列回路構成からなり、
前記ツボ刺激素子は、円形板状の黒檀からなり、
前記乾電池は、単三乾電池であることを特徴とする請求項１或いは２に記載のシート型ヒータ内蔵凝り治療器。
【発明の詳細な説明】
【技術分野】
【０００１】
本発明は、人間の首周りを中心とした当該人間の身体の凝りを治療するに適したシート型ヒータ内蔵凝り治療器に関する。
【背景技術】
【０００２】
従来、この種のシート型ヒータ内蔵凝り治療器に類似するものとして、例えば、下記特許文献１に記載のショール類が提案されている。当該ショール類は、面状の発熱体を織編物内に備えて構成されている。
【０００３】
しかして、このように構成したショール類は、通常、女性の首の後ろから両肩に掛けるようにして着用される。ここで、面状の発熱体に電力を供給することで、女性の首周りを保温することができる。
【先行技術文献】
【特許文献】
【０００４】
【特許文献１】特開２００１−１４６６０９号公報
【発明の概要】
【発明が解決しようとする課題】
【０００５】
ところで、上述のショール類において、面状の発熱体に対する電力の供給は、電源が必要とされる。この電源として、例えば、乾電池を採用すれば、この乾電池は、当該ショール類の使用の便宜上、このショール類自体に取り付けることが望ましい。ここで、乾電池は、通常、当該ショール類の使用の際に特に邪魔にならない部位、例えば、女性の背中に対する対応部位に取り付けることが好ましい。
【０００６】
しかしながら、例えば、大地震による災害時の避難所生活に起因する寒さやストレスのもとで、女性が当該ショール類を長時間に亘り着用していると、この女性にとって、乾電池が重く感じられ、肩が凝ってしまい、結局、当該ショール類は保温の点では適していても、使いづらいという不具合が発生する。
【０００７】
そこで、本発明は、以上のようなことに対処するため、電源としての乾電池は必須であることから、当該乾電池の重さを逆に活用し、人間の肩等のツボを乾電池の重さを利用して押圧することで、当該人間の身体の懲りを解消しつつ保温し得るようにしたシート型ヒータ内蔵凝り治療器を提供することを目的とする。
【課題を解決するための手段】
【０００８】
上記課題の解決にあたり、本発明に係るシート型ヒータ内蔵凝り治療器は、請求項１の記載によれば、
背中当て層（１０ａ）と、この背中当て層の上部左右両側部位から延出する左右両側肩胸当て層（１０ｂ、１０ｃ）とを有するように、電気絶縁材料でもって袋状に形成してなるシート状被覆体（１０）と、
背中当て層及び左右両側肩胸当て層にわたり内包される面状ヒータ（２０）と、
背中当て層及び左右両側肩胸当て層の双方の各一側外面のうち人間の身体の少なくとも１つ以上のツボ（Ｆ１〜Ｆ４）に対する対応部位に装着されて黒檀からなる少なくとも１つ以上のツボ刺激素子（３０〜６０）と、
背中当て層の他側外面の左右両側下部に設けられて左右両側乾電池を収納する左右両側電池収納部（１０ｄ、１０ｅ）とを備えて、
左右両側乾電池は、左右両側電池収納部を介し互いに直列接続されるようになっており、
面状ヒータの両接続端子の一方は、上記直列接続される左右両側乾電池を介し面状ヒータの両接続端子の他方に電気的に接続されるようになっている。
【０００９】
これによれば、ヒータ内蔵凝り治療器は、背中当て層にてその一側外面から人間の背中の上部に当たるようにして、左右両側肩胸当て層にて人間の左右両肩から左右両胸に当たるように着用される。このとき、ヒータ内蔵凝り治療器は、少なくとも１つ以上のツボ刺激素子にて人間の身体の少なくとも１つ以上のツボに当たるように着用される。なお、ヒータ内蔵凝り治療器の位置ずれを防止するために、左右両側肩胸当て層を、例えば、ひもにより相互に結ぶようにしておく。
【００１０】
このような状態において、面状ヒータが、その両接続端子の一方にて、上述のように直列接続される左右両側乾電池を介し面状ヒータの両接続端子の他方に電気的に接続されれば、当該面状ヒータは、左右両側乾電池から給電されて発熱し人間の背中上部、左右両肩及び左右両胸を保温する。従って、当該人間が、例えば、大地震による災害時の避難所生活におかれて寒い環境にあっても、良好に保温され得る。
【００１１】
また、このようにヒータ内蔵凝り治療器を人間にその首周りを中心として着用させると、左右両側乾電池の各重さが人間の身体に荷重としてかかり、当該人間の身体の凝りの原因となる。
【００１２】
しかしながら、左右両側乾電池の重さを逆に活用して、人間の身体の少なくとも１つ以上のツボを対応のツボ刺激素子でもって押圧するようにした。従って、当該人間が上述のように避難所生活におかれて寒い環境にあってストレスも溜まるような状態におかれていても、左右両側乾電池の重さに起因する身体の懲りを解消しつつ、当該人間の身体が良好に保温され得る。
【００１３】
また、本発明は、請求項２の記載によれば、請求項１に記載のシート型ヒータ内蔵凝り治療器において、
上記少なくとも１つ以上のツボは、左右両側肩井穴（Ｆ１、Ｆ２）及び左右両側膏肓穴（Ｆ３、Ｆ４）であり、
上記少なくとも１つ以上のツボ刺激素子は、背中当て層及び左右両側肩胸当て層の双方の上記一側外面のうち上記左右両側肩井穴及び上記左右両側膏肓穴の各々に対する各対応部位に装着される４つのツボ刺激素子であることを特徴とする。
【００１４】
これによれば、４つのツボ刺激素子でもって左右両側肩井穴及び上記左右両側膏肓穴を押圧することで、人間の身体の懲りを良好に解消しつつ請求項１に記載の発明の作用効果を達成し得る。
【００１５】
また、本発明は、請求項３の記載によれば、請求項１または２に記載のシート型ヒータ内蔵凝り治療器において、
面状ヒータは、ニクロム線を格子状に配線した直列回路構成からなり、
上記ツボ刺激素子は、円形板状の黒檀からなり、
乾電池は、単三乾電池であることを特徴とする。
【００１６】
これによれば、ツボ刺激素子が円形板状の黒檀からなることから、当該ツボ刺激素子は人間の身体の皮膚に対しなじみ易く、当該皮膚に優しく作用する。しかも、単三乾電池が、ツボに対し過不足のない押圧力を与えるに適した自重を有する。その結果、請求項１または２に記載の発明の作用効果がより一層具体的に達成され得る。
【００１７】
なお、上記各手段の括弧内の符号は、後述する実施形態に記載の具体的手段との対応関係を示す。
【図面の簡単な説明】
【００１８】
【図１】本発明に係るシート型ヒータ内蔵凝り治療器を女性の身体に適用した例を示す図である。
【図２】図１のヒータ内蔵凝り治療器の部分破断前面図である。
【図３】図１のヒータ内蔵凝り治療器の部分破断裏面図である。
【図４】図２のヒータ内蔵凝り治療器の部分拡大左側前面図である。
【図５】図２のヒータ内蔵凝り治療器の部分拡大側面図である。
【図６】図２のヒータ内蔵凝り治療器の部分拡大右側前面図である。
【図７】図２のヒータ内蔵凝り治療器の部分拡大側面図である。
【図８】図１の女性の身体の各肩井穴及び膏肓穴の位置を示す背面図である。
【図９】図２のヒータ内蔵凝り治療器の電気回路構成図である。
【発明を実施するための形態】
【００１９】
以下、本発明の一実施形態を図面により説明すると、図１は、本発明に係るシート型ヒータ内蔵凝り治療器Ｓが女性Ｆに適用された一実施形態を示している。このヒータ内蔵凝り治療器Ｓは保温機能を発揮するもので、当該ヒータ内蔵凝り治療器Ｓは、女性Ｆの胸の左右両側部、両肩及び背中の中央部に亘り着用されている（図１参照）。なお、ヒータ内蔵凝り治療器Ｓは、女性用ショールとして兼用するようにしてもよい。
【００２０】
当該ヒータ内蔵凝り治療器Ｓは、図１〜図３のいずれかにより示すごとく、シート状被覆体１０、面状ヒータ２０及び複数のツボ刺激素子３０〜６０を備えている。
【００２１】
シート状被覆体１０は、背中当て層１０ａ及び左右両側肩胸当て層１０ｂ、１０ｃを一体的に有するように、電気絶縁性材料であるガラス繊維を袋状に織り込むことで、形成されている。背中当て層１０ａは、図１〜図３のいずれかにより示すごとく、表裏両側背中当て部１１ａ、１１ｂを有しており、当該表裏両側背中当て部１１ａ、１１ｂは、相互に、その各外周縁部にて一体的に形成されている。なお、本実施形態において、表裏両側背中当て部１１ａ、１１ｂのうち裏側背中当て部１１ｂが、女性Ｆの背中に当たるものとする。
【００２２】
左右両側肩胸当て層１０ｂ、１０ｃは、図２或いは図３にて示すごとく、背中当て層１０ａの左右両側上部から互いに外方へ上方に向け傾斜状に延出している。左側肩胸当て層１０ｂは、表裏両側肩胸当て部１２ａ、１２ｂを有しており、当該表裏両側肩胸当て部１２ａ、１２ｂは、相互にその各外周縁部にて一体的に形成されている。一方、右側肩胸当て層１０ｃは、表裏両側肩胸当て部１２ｃ、１２ｄを有しており、当該表裏両側肩胸当て部１２ｃ、１２ｄは、相互にその各外周縁部にて一体的に形成されている。なお、左右両側肩胸当て層１０ｂ、１０ｃの各延出端部には、図２及び図３にて示すごとく、電気絶縁材料からなる左右両側ひもＨが、その基端部にて、取り付けられている。
【００２３】
また、シート状被覆体１０は、左右両側電池収納袋１０ｄ、１０ｅを有しており、当該左右両側電池収納袋１０ｄ、１０ｅは、背中当て層１０ａの表側背中当て部１１ａの左右両側下隅角部に設けられている。
【００２４】
左側電池収納袋１０ｄは、図１〜図５のいずれかにて示すごとく、袋本体１３と、蓋１４と、両電極片１５ａ、１５ｂとにより構成されている。袋本体１３は、四角筒体１３ａと、この四角筒体１３ａの底部を閉じる底壁１３ｂとを有するように、電気絶縁材料であるガラス繊維を織り込むことで、形成されている。しかして、この袋本体１３においては、四角筒体１３ａが、その裏壁部にて、背中当て層１０ａの表側背中当て部１１ａの左側下隅角部に装着されている。
【００２５】
ここで、当該四角筒体１３ａは、その開口部１３ｃにて、図４及び図５にて示すごとく、図示上方に向け開口するように、表側背中当て部１１ａの左側下隅角部に装着されている。本実施形態において、四角筒体１３ａは、単三乾電池７０（図９参照）を収納し得るように形成されている。
【００２６】
蓋１４は、四角筒体１３ａの裏壁部の開口部１３ｃ側端部から上方に延出するように、電気絶縁性材料であるガラス繊維を織り込むことで、形成されており、この蓋１４は、四角筒体１３ａの開口部１３ｃを閉じる役割を果たす。ここで、蓋１４の延出端部にはその内面側からマジックファスナー（登録商標）１４ａが帯状に装着されており、このマジックファスナー（登録商標）１４ａは、四角筒体１３ａの表壁部（上記裏壁部に対する対向壁部）のうち開口部１３ｃ側端部にその外面側から装着した帯状マジックファスナー（登録商標）１３ｄに着脱可能に固着されるようになっている。このことは、蓋１４が、マジックファスナー（登録商標）１４ａのマジックファスナー（登録商標）１３ｄとの固着により、四角筒体１３ａの開口部１３ｃを閉じることを意味する。
【００２７】
両電極片１５ａ、１５ｂは、それぞれ、正電極片（以下、正電極片１５ａともいう）及び負電極片（以下、負電極片１５ｂともいう）としての役割を果たす。正電極片１５ａは、円柱台状金属片からなるもので、この正電極片１５ａは、蓋１４の内面中央に装着されている。一方、負電極片１５ｂは、矩形板状金属片からなるもので、この負電極片１５ｂは、その端部にて、袋本体１３の底壁１３ｂにその内面側から装着されて、四角筒体１３ａの開口部１３ｃ側へ傾斜するように延出している。ここで、当該負電極片１５ｂは、その上記端部を基準に筒体１３ａの軸方向に撓み可能となっている。
【００２８】
右側電池収納袋１０ｅは、図１〜図３、図６及び図７のいずれかにて示すごとく、袋本体１６と、蓋１７と、両電極片１８ａ、１８ｂとにより構成されている。袋本体１６は、四角筒体１６ａと、この四角筒体１６ａの底部を閉じる底壁１６ｂとを有するように、電気絶縁性材料であるガラス繊維を織り込むことで、形成されている。しかして、この袋本体１６においては、四角筒体１６ａが、その裏壁部にて、背中当て層１０ａの表側背中当て部１１ａの右側下隅角部に装着されている。
【００２９】
ここで、当該四角筒体１６ａは、その開口部１６ｃにて、図６及び図７にて示すごとく、図示上方に向け開口するように、表側背中当て部１１ａの右側下隅角部に装着されている。本実施形態において、四角筒体１６ａは、単三乾電池８０（図９参照）を収納し得るように形成されている。
【００３０】
蓋１７は、四角筒体１６ａの裏壁部の開口部１６ｃ側端部から上方に延出するように、電気絶縁性材料であるガラス繊維を織り込むことで、形成されており、この蓋１７は、四角筒体１６ａの開口部１６ｃを閉じる役割を果たす。ここで、蓋１７の延出端部にはその内面側からマジックファスナー（登録商標）１７ａが帯状に装着されており、このマジックファスナー（登録商標）１７ａは、四角筒体１６ａの表壁部（上記裏壁部に対する対向壁部）のうち開口部１６ｃ側端部にその外面側から装着した帯状マジックファスナー（登録商標）１６ｄに着脱可能に固着されるようになっている。このことは、蓋１７が、マジックファスナー（登録商標）１７ａのマジックファスナー（登録商標）１６ｄとの固着により、四角筒体１６ａの開口部１６ｃを閉じることを意味する。
【００３１】
両電極片１８ａ、１８ｂは、それぞれ、正電極片（以下、正電極片１８ａともいう）及び負電極片（以下、負電極片１８ｂともいう）としての役割を果たす。正電極片１８ａは、円柱台状金属片からなるもので、この正電極片１８ａは、袋本体１６の底壁１６ｂにその内面側から装着されている。一方、負電極片１８ｂは、矩形板状金属片からなるもので、この負電極片１８ｂは、その端部にて、蓋１７にその内面側から装着されて、当該蓋１７の内面から離れる方向へ傾斜するように延出している。ここで、当該負電極片１８ｂは、その上記端部を基準に蓋１７の厚さ方向に撓み可能となっている。
【００３２】
面状ヒータ２０は、ニクロム線を格子状（図２参照）に配列した直列回路として面状に構成されており、当該面状ヒータ２０は、シート状被覆体１０に内蔵されている。具体的には、当該ヒータ２０は、背中当て層１０ａの表裏両側背中当て部１１ａ、１１ｂの間、左側肩胸当て層１０ｂの表裏両側肩胸当て部１２ａ、１２ｂの間及び右側肩胸当て層１０ｃの表裏両側肩胸当て部１２ｃ、１２ｄの間に介装されるようにして、シート状被覆体１０の内部全体に亘り内蔵されている。
【００３３】
複数のツボ刺激素子３０〜６０のうち、ツボ刺激素子３０は、左側肩胸当て層１０ｂの裏側肩胸当て部１２ｂのうち女性Ｆの左肩のツボ「肩井穴」（図８にて符号Ｆ１参照）に対する対応部位にその外面側から装着されている。ツボ刺激素子４０は、右側肩胸当て層１０ｃの裏側肩胸当て部１２ｄのうち女性Ｆの右肩のツボ「肩井穴」（図８にて符号Ｆ２参照）に対する対応部位にその外面側から装着されている。
【００３４】
ツボ刺激素子５０は、背中当て層１０ａの裏側背中当て部１１ｂのうち女性Ｆの背中の左側上下方向中間部位のツボ「膏肓穴」（図８にて符号Ｆ３参照）に対する対応部位にその外面側から装着されている。また、ツボ刺激素子６０は、背中当て層１０ａの裏側背中当て部１１ｂのうち女性Ｆの背中の右側上下方向中間部位のツボ「膏肓穴」（図８にて符号Ｆ４参照）に対する対応部位にその外面側から装着されている。
【００３５】
各ツボ刺激素子３０〜６０は、天然の黒檀でもって、数（ｍｍ）の厚さ及び１．５（ｃｍ）の直径を有するように、角部のない円形板状に形成されている。本実施形態において、上述のように、各ツボ刺激素子３０〜６０の形成材料として黒檀を採用した根拠について説明する。黒檀は、比較的大きな比熱を有するため、この黒檀による火傷の危険性はない。また、黒檀は、女性Ｆの皮膚に対し良好な効能を発揮するアルカロイドを発生する。このような観点から、黒檀が各ツボ刺激素子３０〜６０の形成材料として採用されている。
【００３６】
また、上述のごとく、各ツボ刺激素子３０〜６０を角部のない円形板状の黒檀でもって形成したのは、このような形状の黒檀であれば、女性Ｆの皮膚になじみ易く、当該皮膚に優しく作用するからである。ここで、上述した角部は、円板形状の黒檀の両外周縁角部をいう。なお、当該角部をなくするには、例えば、円板形状の黒檀の両外周縁角部の各々に面取り（例えば、外方に向け凸な湾曲面形状となるような面取り）を施せばよい。
【００３７】
次に、ヒータ内蔵凝り治療器Ｓの電気回路構成について図９を参照して説明する。左右両側単三乾電池７０及び８０は、それぞれ、左右両側電池収納袋１０ｄ、１０ｅの各々に収納されている。本実施形態において、電源として単三乾電池を採用したのは、単三乾電池が、女性Ｆのツボに対し過不足のない押圧力を与えるに適した自重を有するからである。
【００３８】
具体的には、左側単三乾電池７０は、その負極７２側から左側電池収納袋１０ｄの袋本体１３内に収納されている。このように収納した後、蓋１４が、袋本体１３を閉じるようにして、マジックファスナー（登録商標）１４ａにて、袋本体１３のマジックファスナー（登録商標）１３ｃに着脱可能に装着されている。これにより、左側単三乾電池７０は、正極７１にて蓋１４の正電極片１５ａと当接するとともに、負極７２にて、負極片１５ｂにその弾性に抗して当接している。
【００３９】
また、右側単三乾電池８０は、その正極８１側から右側電池収納袋１０ｅの袋本体１６内に収納されている。このように収納した後、蓋１７が、袋本体１６を閉じるようにして、マジックファスナー（登録商標）１７ａにて、袋本体１６のマジックファスナー（登録商標）１６ｄに着脱可能に装着されている。これにより、右側単三乾電池８０は、正極８１にて正極片１８ａと当接するとともに、負極８２にて、負極片１８ｂにその弾性に抗して当接している。ここで、正極片１５ａは、負極片１８ｂと配線Ｌにより相互に電気的に接続されている。なお、配線Ｌは、背中当て層１０ａの表側背中当て部１１ａのうち両蓋１４、１７の間の部位に設けられている。
【００４０】
また、面状ヒータ２０は、その一側接続端子２１にて、袋本体１３の底部を介して負極片１５ｂに電気的に接続されており、当該面状ヒータ２０の他側接続端子２２は、袋本体１６の底部を介し正極片１６ｂに電気的に接続されている。
【００４１】
これにより、面状ヒータ２０は、その一側接続端子２１にて、左側単三乾電池７０の負極７２に電気的に接続されており、当該面状ヒータ２０の他側接続端子２２は、右側単三乾電池８０の正極８１に電気的に接続されている（図９参照）。また、左側単三乾電池７０の正極７１は、正極片１５ａ、配線Ｌ及び負極片１８ｂを介し右側単三乾電池８０の負極８２に電気的に接続されている（図９参照）。
【００４２】
このように構成した本実施形態において、当該ヒータ内蔵凝り治療器Ｓを次のようにして女性Ｆの首周りを中心として当該女性Ｆの身体に着用させる。具体的には、背中当て層１０ａをその裏側背中当て部１１ｂから女性Ｆの背中の上部に当てるようにして、左右両側肩胸当て層１０ｂ、１０ｃを女性Ｆの左右両肩から左右両胸に当てる。
【００４３】
このとき、両ツボ刺激素子３０、４０が、それぞれ、女性Ｆの身体の左右両側肩井穴Ｆ１、Ｆ２（図８参照）に当たるとともに、両ツボ刺激素子５０、６０が、それぞれ、女性Ｆの身体の左右両側膏肓穴Ｆ３、Ｆ４（図８参照）に当たるようにする。
【００４４】
然る後、左右両側肩胸当て層１０ｂ、１０ｃを、相互に、左右両側ひもＨでもって結びつける。これにより、当該ヒータ内蔵凝り治療器Ｓの女性Ｆの身体に対する着用が終了する。
【００４５】
このような状態において押しボタンスイッチＳＷをオンすれば、両単三乾電池７０、８０の直列直流電圧が、面状ヒータ２０に印加される。これに伴い、面状ヒータ２０が発熱してシート状被覆体１０を介して女性Ｆの背中上部、左右両肩及び左右両胸を保温する。従って、女性Ｆが、例えば、大地震による災害時の避難所生活におかれて寒い環境にあっても、良好に保温され得る。その結果、上述した災害時における女性Ｆに対するストレスや当該女性Ｆの上述の避難所生活における緊張が緩和され得る。
【００４６】
また、上述のような避難所生活におかれて寒い環境にあっては、女性Ｆは寒さだけでなくストレスも溜まる。このため、上述のように左右両側単三乾電池７０、８０が被覆体１０の左右両側電池収納袋１０ｄ、１０ｅ内に収納されていることから、女性Ｆが、当該左右両側電池収納袋１０ｄ、１０ｅを重く感じるようなことがある。
【００４７】
しかしながら、当該左右両側電池収納袋１０ｄ、１０ｅが、その自重により、背中当て層１０ａを下方へ引っ張ることで、各ツボ刺激素子３０〜６０が、それぞれ、これらに対する裏側背中当て部１１ｂの各対応部により女性Ｆの身体の各肩井穴Ｆ１、Ｆ２及び各膏肓穴Ｆ３、Ｆ４を押圧することとなる。
【００４８】
従って、女性Ｆの左右両肩及び背中の凝りが解消され、これに伴い、上述のような左右両側電池収納袋１０ｄ、１０ｅに対する重いという感じが解消されていく。また、上述のごとく、各ツボ刺激素子３０〜６０が、アルカロイドを発生する黒檀からなることから、女性Ｆの皮膚が良好に改善され得る。
【００４９】
以上述べたように、本実施形態によれば、両単三乾電池７０、８０を具備するヒータ内蔵凝り治療器Ｓを上述のように女性Ｆにその首周りを中心として着用させると、両単三乾電池７０、８０の各重さが女性Ｆの身体に荷重としてかかる。
【００５０】
しかしながら、両単三乾電池７０、８０の重さを、逆に活用して、女性Ｆの身体の両肩井穴Ｆ１、Ｆ２及び両膏肓穴Ｆ３、Ｆ４を各対応のツボ刺激素子３０〜６０で持って押圧するようにした。従って、当該女性Ｆが上述のように避難所生活におかれて寒い環境にあってストレスも溜まるような状態におかれていても、両単三乾電池７０、８０の重さに起因する懲りを解消しつつ、当該女性Ｆの身体が良好に保温され得る。
【００５１】
また、各ツボ刺激素子３０〜６０が、角部のない円形板状の黒檀からなることから、当該各ツボ刺激素子３０〜６０は女性Ｆの身体の皮膚に対しなじみ易く、当該皮膚に優しく作用する。しかも、各単三乾電池７０、８０が、上述の各ツボに対し過不足のない押圧力を与えるに適した自重を有する。従って、両単三乾電池７０、８０の重さに起因する懲りが良好に解消され得る。これにより、上述した作用効果がより一層良好に達成され得る。
【００５２】
なお、本発明の実施にあたり、上記実施形態に限ることなく、次のような種々の変形例が挙げられる。
（１）本発明の実施にあたり、各単三乾電池７０、８０に限ることなく、各種の仕様の乾電池を採用してもよい。なお、乾電池の仕様に応じて、各電池収納袋１０ｄ、１０ｅの収納容積を変更しればよい。
（２）本発明の実施にあたり、各ツボ刺激素子３０〜６０の外形形状は、多角形板状或いは矩形板状等の形状に、必要に応じて、適宜変更してもよい。
（３）上記実施形態にて述べた肩井穴や膏肓穴に限ることなく、当該肩井穴や膏肓穴に代えて或いは加えて、他のツボに本発明を適用してもよい。これに伴い、ツボ刺激素子の位置の変更或いは追加を行う。
（４）本発明の実施にあたり、女性Ｆに限ることなく、男性でもよく、一般的には、人間に本発明を適用してもよい。
（５）本発明の実施にあたり、ヒータ２０は、上記実施形態にて述べたニクロム細線に限ることなく、例えば、面状の導電性樹脂でもって構成してもよい。
（６）本発明の実施にあたり、女性Ｆが、ツボ刺激素子を形成する黒檀に対し、アレルギー体質を有する場合には、ツボ刺激素子の女性Ｆの肌に対する接触面に、例えば、樹脂膜或いは金属膜を装着するとよい。
（７）本発明の実施にあたり、シート状被覆体１０は、上記実施形態にて述べたガラス繊維に限ることなく、布その他の電気絶縁材料でもって、形成してもよい。
（８）本発明の実施にあたり、ツボ刺激素子を形成する黒檀は、角部のない円形板状のものに限ることなく、単なる円形板状のものであってもよい。これによっても、当該黒檀の皮膚に対するなじみ易さは、角部のない円形板状の黒檀とさほど変わりはない。
（９）本発明の実施にあたり、上記実施形態にて述べたマジックファスナー（登録商標）は、これに限ることなく、ホックその他のファスナーであってもよい。
【符号の説明】
【００５３】
Ｓ…シート型ヒータ内蔵凝り治療器、１０…シート状被覆体、
１０ａ…背中当て層、１０ｂ、１０ｃ…肩胸当て層、
１０ｄ、１０ｅ…電池収納袋、１１ａ、１１ｂ…背中当て部、
１２ａ、１２ｂ…肩胸当て部、２０…面状ヒータ、３０〜６０…ツボ刺激素子。
【図１】
2011045397.tif 000003
【図２】
2011045397.tif 000004
【図３】
2011045397.tif 000005
【図４】
2011045397.tif 000006
【図５】
2011045397.tif 000007
【図６】
2011045397.tif 000008
【図７】
2011045397.tif 000009
【図８】
2011045397.tif 000010
【図９】
2011045397.tif 000011